(57)【特許請求の範囲】
【請求項１】
内部に加熱手段を有した薄肉の加熱ローラと、該加熱ローラに圧接する加圧ローラとを備え、これら加熱ローラ,加圧ローラ間にトナー画像が転写された転写材を通過させ、前記トナー画像を前記転写材に熱定着する定着装置であって、
前記加熱ローラ内に設けられ、最大サイズの転写材の通過領域内で、所定サイズの転写材の通過領域外の領域を主に加熱する第１の加熱手段と、
前記加熱ローラに設けられ、前記所定サイズの転写材の通過領域を主に加熱する第２の加熱手段と、
前記加熱ローラの最大サイズの転写材の通過領域内で前記所定サイズの転写材の通過領域外の領域の温度を検出する第１の温度検知手段と、
前記加熱ローラの前記所定サイズの転写材の通過領域の温度を検出する第２の温度検知手段と、
前記加熱ローラの前記所定サイズの転写材の通過領域の端部を冷却する冷却手段と、
前記所定サイズより狭い幅の転写材を定着する場合は、前記冷却手段を駆動すると共に、
前記第１の加熱手段の設定温度を、アイドリング時の設定温度（Ｔ１’又はＴ１’’）から、アイドリング時の設定温度（Ｔ１’又はＴ１’’）より低い設定温度（Ｔ１’’’）に下げ、所定枚数までの前記第２の加熱手段の設定温度を、アイドリング時の設定温度（Ｔ２’又はＴ２’’）から、前記アイドリング時の設定温度（Ｔ２’又はＴ２’’）より高い設定温度（Ｔ２’’’）に上げ、所定枚数以降の前記第２の加熱手段の設定温度を、前記設定温度（Ｔ２’’’）から、前記設定温度（Ｔ２’’’）より低い設定温度（Ｔ２’’’’）に下げる制御部と、
を設けたことを特徴とする定着装置。
【発明の詳細な説明】
【０００１】
【発明の属する技術分野】
本発明は、内部に加熱手段を有した薄肉の加熱ローラと、該加熱ローラに圧接する加圧ローラとを備え、これら加熱ローラ,加圧ローラ間にトナー画像が転写された転写材を通過させ、前記トナー画像を前記転写材に熱定着する定着装置に関する。
【０００２】
【従来の技術】
現在、複写機、レーザビームプリンタ等の画像形成装置に用いられている熱ローラ方式の定着装置は、熱源としてのハロゲンヒータランプを内部に有し、表面にトナーとの離型性をよくするコート層を設けた加熱ローラと、表面がゴム層からなる加圧ローラとから構成されている。
【０００３】
ところで、画像形成中の定着装置の消費電力は、一枚の転写材を定着さるのに必要な熱容量×画像形成枚数で略決定される。
画像形成速度が20〜30枚/分クラスの画像形成装置は、画像形成速度が遅い分、単位時間当たりに必要な熱容量が少なく、加熱ローラに畜熱する必要がなく、画像形成時の熱供給で充分である。
【０００４】
従って、省エネルギーの観点より、加熱ローラの芯金の肉厚を可能な限り薄くして熱容量を小さくした加熱ローラが提案されている。
【０００５】
【発明が解決しようとする課題】
しかし、薄肉の加熱ローラを用いた場合、以下のような問題点がある。
(1) 加熱ローラの熱容量が小さいので、加熱ローラの定着時の必要熱量と、アイドリング時の必要熱量との差が大きい。
【０００６】
したがって、加熱ローラの温度制御に設定温度で加熱手段への電流の供給をオンオフする制御を行っている場合、定着が終了し、加熱ローラの回転駆動が停止した時に、加熱手段が駆動中であれば、加熱ローラ回転停止前後の必要熱量が大きいことから、停止直後の熱量が過剰になってしまうために、加熱ローラの温度はオーバーシューとにより設定温度より、異常に高くなり、無駄な電力を消費することとなる。
【０００７】
(2) 幅の狭い転写材を連続して多数定着する場合、加熱ローラの一部分だけ(たとえば、加熱ローラの中央部分だけ)が熱量を必要とする。
特に、5.5×8.5Rのように、幅が一番狭く、A版、B版系列の転写材に比べて流方向の長さが長いプロポーションの転写材を連続して複数枚定着する場合、無駄な領域を加熱することとなり、加熱ローラの熱容量が小さい分だけ非通紙部の温度上昇も顕著になり、温度制御が難しいという問題点もある。
【０００８】
(3) 加熱ローラの温度制御に設定温度で加熱手段への電流の供給をオンオフする制御を行っている場合、加熱ローラの熱容量が小さいので、アイドリング時には、加熱ローラの温度は設定温度を中心にオンオフの頻度が多くなる。
【０００９】
加熱手段をオンした場合、突入電流により、ノイズが発生する問題点がある。
【００１０】
本発明は、上記問題点に鑑みてなされたもので、その目的は、小幅サイズの転写材を連続して複数枚定着した場合、精度がよい温度制御が行える定着装置を提供することにある。
【００１１】
【課題を解決するための手段】
上記課題を解決する請求項１記載の発明は、内部に加熱手段を有した薄肉の加熱ローラと、該加熱ローラに圧接する加圧ローラとを備え、これら加熱ローラ,加圧ローラ間にトナー画像が転写された転写材を通過させ、前記トナー画像を前記転写材に熱定着する定着装置であって、前記加熱ローラ内に設けられ、最大サイズの転写材の通過領域内で、所定サイズの転写材の通過領域外の領域を主に加熱する第１の加熱手段と、前記加熱ローラに設けられ、前記所定サイズの転写材の通過領域を主に加熱する第２の加熱手段と、前記加熱ローラの最大サイズの転写材の通過領域内で前記所定サイズの転写材の通過領域外の領域の温度を検出する第１の温度検知手段と、前記加熱ローラの前記所定サイズの転写材の通過領域の温度を検出する第２の温度検知手段と、前記加熱ローラの前記所定サイズの転写材の通過領域の端部を冷却する冷却手段と、前記所定サイズより狭い幅の転写材を定着する場合は、前記冷却手段を駆動すると共に、前記第１の加熱手段の設定温度を、アイドリング時の設定温度（Ｔ１’又はＴ１’’）から、アイドリング時の設定温度（Ｔ１’又はＴ１’’）より低い設定温度（Ｔ１’’’）に下げ、所定枚数までの前記第２の加熱手段の設定温度を、アイドリング時の設定温度（Ｔ２’又はＴ２’’）から、前記アイドリング時の設定温度（Ｔ２’又はＴ２’’）より高い設定温度（Ｔ２’’’）に上げ、所定枚数以降の前記第２の加熱手段の設定温度を、前記設定温度（Ｔ２’’’）から、前記設定温度（Ｔ２’’’）より低い設定温度（Ｔ２’’’’）に下げる制御部と、を設けたことを特徴とする定着装置である。
【００１２】
制御部は、所定サイズより狭い幅の転写材を定着する場合は、前記冷却手段を駆動すると共に、前記第１の加熱手段の設定温度を下げ、前記第２の加熱手段の設定温度を所定枚数までは上げ、所定枚数以降には下げることにより、狭い幅の転写材を定着する際の温度制御の精度が正確になる。
【００１６】
【発明の実施の形態】
次に図面を用いて本発明の実施の形態例を説明する。
(全体構成)
最初に、図９を用いて、本実施の形態例の定着装置が設けられた画像形成装置の全体構成を説明する。
【００１７】
図において、画像形成装置１は、自動原稿搬送装置(通称ADF)Aと、自動原稿搬送装置Aにより搬送される原稿の画像を読み取るための原稿画像読取部Bと、読み取った原稿画像を処理する画像制御部Cと、画像処理後のデータに従って、感光ドラムからなる像担持体１０上に書込みを行なう書込みユニット１２を含む書込み部Dと、像担持体１０及びその周囲に帯電電極１４,磁気ブラシ型現像装置からなる現像手段１６,帯電電極１８,分離電極２０,クリーニング手段２１等の画像形成手段を含む画像形成部Eと、転写材(以下、記録紙という)Pを収容するトレイ等の複数の用紙収容手段(以下、給紙トレイ又はトレイという)２２,２４のための収納部F等を有している。
【００１８】
自動原稿搬送装置Aは、原稿載置台26と、ローラR1を含むローラ群及び原稿の移動通路を適宜切り替えるための切替手段を含む原稿搬送処理部２８を主要素とする。
【００１９】
原稿画像読取部Bは、天板ガラスGの下にあり、光路長を保って往復移動できる二つのミラーユニット３０,３１、固定の結像レンズ(以下、レンズという)３３、ライン状の撮像素子(以下、CCDという)３５等からなり、書込み部Dはレーザ光源４０、ポリゴンミラー(偏光器)４２等からなる。
自動原稿搬送装置Aは、従来の自動原稿搬送装置と構成上の相違はあるものの原理はそのものは公知であり、又、原稿画像読取部B、書込み部D、画像処理手段(像担持体１０上にトナー画像を形成し、かつ、シート上にトナー画像を転写させる手段)を備えた画像形成装置及び画像形成プロセスはよく知られているので、その説明は簡略に行なう。
【００２０】
尚、転写電極１９の手前側に示すR10はレジストローラであり、分離電極の下流側に示すHは定着装置(詳細は後述する)であり、加熱ローラ９１とこの加熱ローラ９１に圧接する加圧ローラ９２とを備えており、加熱ローラ９１と、加圧ローラ９２との間にトナー画像が転写された記録紙Pが定着することにより、トナー画像が記録紙P上に熱定着される。
【００２１】
上記構成において、像担持体１０上にトナー画像を形成し、シート上の転写させた後、排紙トレイに排紙するプロセスは、以下のとおりである。
尚、本明細書では、転写電極がある転写領域を画像記録部という場合がある。
【００２２】
原稿載置台２６上に載置される原稿(図示せず)の一枚が原稿搬送処理部２８中で搬送され、ローラR1の下を通過中に、露光手段Lによるスリット露光が行なわれる。
【００２３】
原稿からの反射光は、固定位置にあるミラーユニット３０,３１及びレンズ３３を経て、CCD上に結合され、読み取られる。
原稿画像読取部Bで読み取られた画像情報は、画像処理手段により処理され、符号化されて画像制御基板C上にあるメモリに格納される。
【００２４】
画像データは、画像形成に応じて呼び出され、当該画像データに従って書込み部Dにおけるレーザ光源４０が駆動され、像担持体１０上に露光が行なわれる。この露光に先立ち、矢印方向(反時計方向)に回転する像担持体１０は、帯電電極１４のコロナ放電により所定の表面電位が付与されているが、露光により露光部の電位が露光量に応じて減じ、結果として、画像データに応じた静電潜像が像担持体１０上に形成される。
【００２５】
静電潜像は、現像手段１６により反転現像され、可視像(トナー像)とされる。一方、像担持体１０上のトナー像の先端部が転写領域に到達する前に、例えば、給紙トレイ２２内の一枚のシートPが給紙搬送されて、レジストローラR10に到達し、先端規制されている。
【００２６】
シートPはトナー像、即ち、像担持体１０上の画像領域と重畳するように、同期をとって回転を開始するレジストローラR10により転写領域に向けて搬送される。
【００２７】
転写領域において、像担持体１０上のトナー像は、転写電極の付勢によりシートP上に転写されて、次いで、シートPは分離電極２０の付勢により像担持体１０から分離される。
【００２８】
その後、定着装置Hの加熱,加圧により、トナー像を形成するトナー粉末はシートP上に溶融定着され、シートPは排紙通路７８及び排紙ローラ７９を介して排紙トレイT上に排紙される。
(定着装置)
定着装置Hの構成を図１及び図２を用いて詳細に説明する。図１は定着装置Hの側面図、図２は図１のX方向矢視図である。
【００２９】
加熱ローラ９１において、１９１は両端面が開放された円筒状の芯金(ローラ基体)である。
この芯金１９１の外周面には、離型性層１９４が形成されている。
【００３０】
本実施の形態例では、芯金１９１の材質はアルミニウム、鉄のうちのいずれか、離型性層１９４の材質としてはPFA(テトラフルオロエチレン/パーフルオロアルキルビニルエーテル共重合体),四フッ化エチレン等の離型性の良い樹脂とした。
【００３１】
更に、芯金１９１の肉厚を2.0mm以下、離型性層１９４の膜厚を約20μmとした。加熱ローラ９１の内部には、最大サイズの記録紙Pの通過領域内で、所定サイズの記録紙Pの通過領域外の領域(L1)を主に加熱する第１の加熱手段としての第１のハロゲンヒータランプ２１０と、所定サイズの記録紙Pの通過領域(L2)を主に加熱する第２の加熱手段としての第２のハロゲンヒータランプ２２０とが設けられている。
【００３２】
加圧ローラ９２は、発泡シリコンゴムの円周面にPFAチューブをかぶせた構造であり、表面硬度(アスカーC硬度)を35〜75とした。
そして、加圧ローラ９２はスプリング９０の付勢力でもって、加熱ローラ９１を総荷重5〜25kgfで押圧し、加圧ローラ９２と、加熱ローラ９１との間のニップ圧を0.2〜2.0kgf/平方cm、ニップ通過時間を20〜40msecとした。
【００３３】
本実施の形態例の定着装置Hには、図２に示すように、二つの温度検知手段３３０,３４０が設けられている。一つは、領域L1の加熱ローラ９１の温度を検知する第１の温度検知手段３３０と、領域L2の加熱ローラ９１の温度を検出する第２の温度検知手段３４０である。尚、本実施の形態例では、温度検知手段は、サーミスタを用いた。
【００３４】
また、加熱ローラ９１の第１のハロゲンヒータランプ２１０と、第２のハロゲンヒータランプ２２０との境界近傍には、サーモスタット１２０を設けた。
３５０は領域L2の端部を冷却する冷却手段としてのファンである。
【００３５】
クリーニング機構１００は、芳香族ポリアミドの不織布製のウエブ１０１が巻かれた元巻きローラ１０３と、ウエブ１０１を巻き取る巻き取りローラ１０５と、ウエブ１０１を加熱ローラ９１に押し付けるウエブバックアップローラ１０７とからなっている。
この巻き取りローラ１０５は、所定の枚数の記録紙Pへの画像形成を行うと、所定量回転駆動され、ウエブ１０１の未使用部分が加熱ローラ９１に押接するようになっている。
【００３６】
次に、図３を用いて、本実施の形態例の定着装置の電気的構成を説明する。図３は図１に示す定着装置の電気的構成を説明するブロック図である。
図において、３１０は第１のハロゲンヒータランプ２１０駆動する回路からなる第１の加熱駆動手段、３２０はハロゲンヒータランプ２２０を駆動する回路からなる第２の駆動加熱手段である。
【００３７】
５００は制御部で、第１の温度検知手段３３０からの温度情報(t1)と、第２の温度検知手段３４０からの温度情報(t2)と、画像形成装置本体の電源スイッチがオンされると、画像形成装置本体から送られる起動命令と、画像形成装置本体のコピーボタンがオンされると、画像形成装置本体から送られるコピー命令と、記録紙サイズ情報(W)と設定コピー枚数情報(I)とを取り込んで、第１及び第２の加熱駆動手段３１０,３２０を介して第１及び第２のハロゲンヒータランプ２１０,２２０及び冷却駆動手段３６０を介してファン３５０を駆動するものである。
次に、上記構成の定着装置の動作を図４〜図８を用いて説明する。図４は画像形成装置の全体の動作を説明するフロー図、図５は図４におけるウォームアップ動作を説明するフロー図、図６は図４におけるアイドリング動作を説明するフロー図、図７は図１に示す定着装置のコピー時の動作を説明するフロー図、図８は図７中のコピー中定着制御を説明するフロー図である。
【００３８】
先ず、図４を用いて、画像形成装置の全体の動作を説明する。
電源スイッチがオンされると、加熱ローラ９１の温度を所定温度とする動作、即ち、ウォームアップを行なう(ステップ1)。
【００３９】
ウォームアップが完了すると、コピーボタンがオンされるまで、加熱ローラ９１が所定温度を維持するような動作、即ち、アイドリングを行なう(ステップ2,3)。
【００４０】
コピーボタンがオンされると、コピーを行ない(ステップ4)、コピーが終了するとステップ2へ戻り、次のコピーボタンがオンされるまでアイドリングを行なう。
(ウォームアップ)
図５を用いて、ウォームアップ時の動作の説明を行なう。
【００４１】
制御部５００は第１の温度検知手段３３０からの温度情報(t1)を取込み、加熱ローラ９１の温度が第１の所定温度(T1)より低いならば、第１の所定温度(T1)以上となるまで第１のハロゲンヒータランプ２１０を駆動し(ステップ1,2)、加熱ローラ９１の温度が第１の所定温度(T1)以上ならば、第１のハロゲンヒータランプ２１０の駆動を停止し(ステップ3)、ウォームアップ(WU)終了フラグ1をオンする(ステップ4)。
【００４２】
更に、制御部５００は第１の温度検知手段３４０からの温度情報(t2)を取込み、加熱ローラ９１の温度が第１の所定温度(T2)より低いならば、第１の所定温度(T2)以上となるまで第２のハロゲンヒータランプ２２０を駆動し(ステップ5,6)、加熱ローラ９１の温度が第１の所定温度(T2)以上ならば、第２のハロゲンヒータランプ２２０の駆動を停止し(ステップ7)、ウォームアップ(WU)終了フラグ2をオンする(ステップ8)。
【００４３】
そして、WU終了フラグ1と、WU終了フラグ2とが共にオンとなるまで、ステップ1〜ステップ6を繰返し実行し、WU終了フラグ1と、WU終了フラグ2とが共にオンとなったら終了する(ステップ9)。
(アイドリング)
図６を用いて、アイドリング時の動作の説明を行う。
【００４４】
WU終了フラグ1と、WU終了フラグ2とが共にオンとなったら、制御部５００は、第１のハロゲンヒータランプ２１０が駆動されているかどうかを見て(ステップ1)、駆動されているならば、第１の温度検知手段３３０からの温度情報(t1)を取込み、第２の設定温度(T1′)未満ならば第１のハロゲンヒータランプ２１０の駆動を続行し、第２の設定温度(T1′)以上ならば第１のハロゲンヒータランプ２１０の駆動を停止する(ステップ2,3)。
【００４５】
また、ステップ1で、第１のハロゲンヒータランプ２１０の駆動が停止しているならば、第１の温度検知手段３３０からの温度情報(t1)を取込み、第３の設定温度(T1″)以上ならば第１のハロゲンヒータランプ２１０の駆動の停止を続行し、第３の設定温度(T1″)未満ならば、第１のハロゲンヒータランプ２１０を駆動する(ステップ4,5)。
【００４６】
尚、第２の設定温度(T1′)>第３の設定温度(T1″)である。本実施の形態例では、T1′=191℃、T1″=187℃である。
次に、制御部５００は、第２のハロゲンヒータランプ２２０が駆動されているかどうかを見て(ステップ6)、駆動されているならば、第２の温度検知手段３４０からの温度情報(t2)を取込み、第２の設定温度(T2′)未満ならば第２のハロゲンヒータランプ２２０の駆動を続行し、第２の設定温度(T2′)以上ならば第２のハロゲンヒータランプ２２０の駆動を停止する(ステップ7,8)。
【００４７】
また、ステップ6で、第２のハロゲンヒータランプ２２０の駆動が停止しているならば、第２の温度検知手段３４０からの温度情報(t2)を取込み、第３の設定温度(T2″)以上ならば第１のハロゲンヒータランプ２１０の駆動の停止を続行し、第３の設定温度(T2″)より低ければ、第２のハロゲンヒータランプ２２０を駆動する(ステップ9,10)。
【００４８】
尚、第２の設定温度(T2′)>第３の設定温度(T2″)である。本実施の形態例では、T2′=191℃、T2″=187℃である。
すなわち、本実施の形態例の定着装置は、アイドリング中の加熱ローラ９１の温度制御は、所謂「動作すきま」を有する二位置動作を行っている。
(コピー)
アイドリング時に、装置に対して操作者が記録紙サイズ情報(W),コピー枚数情報(I)を入力し、コピーボタンをオンすると、コピーが開始される。
【００４９】
図７及び図８を用いて、コピー時の動作を説明する。
制御部５００は、記録紙サイズ情報(W),コピー枚数情報(I)を読み込み(ステップ1)、加熱ローラ９１を駆動し、設定コピー枚数分の定着を行なう。
【００５０】
このとき、通紙される記録紙Pのサイズ幅(w)が予め決められた所定サイズ(W)より大きな場合(本実施の形態例では、A4R以上)と、所定サイズ(W)以下の場合(A5R,B5R,B6R,5.5×8.5R)とで大きく制御動作が異なる(ステップ2)。
【００５１】
通紙される記録紙Pのサイズ(w)が予め決められた所定サイズ(W)より大きな場合、冷却ファン３５０は駆動せず(ステップ2,3)、コピーが終了するまで、定着温度制御(加熱ローラ９１の領域L1では、第４の設定温度(T1''':本実施の形態例では194℃)、領域L2では第４の設定温度(T2''':本実施の形態例では194℃))を行なう(ステップ4,5)。
【００５２】
コピーが終了すると、加熱ローラ９１の回転駆動が停止され、第１及び第２のハロゲンヒータランプ２１０,２２０の駆動を停止する(ステップ6)。
一方、ステップ2で、通紙される記録紙Pのサイズ(w)が予め決められた所定サイズ(W)以下の場合、冷却ファン３５０を駆動する(ステップ7)。
【００５３】
コピー枚数が10枚以下の場合は、定着温度制御(加熱ローラ９１の領域L1では、第４の設定温度(T1''':184℃)、領域L2では第４の設定温度(T2''':194℃))を行なう(ステップ8,9)。
【００５４】
コピー枚数が10枚を超えると、定着温度制御(加熱ローラ９１の領域L1では、第４の設定温度(T1''':184℃)、領域L2では第５の設定温度(T2'''':189℃))を行なう(ステップ8,10)。
【００５５】
コピーが終了すると、冷却ファン３５０を停止し(ステップ11)、第１及び第２のハロゲンヒータランプ２１０,２２０の駆動を停止する(ステップ6)。
次に、図８を用いて、上記コピー中の定着温度制御を説明する。
【００５６】
制御部５００は、第１の温度検知手段３３０からの温度情報(t1)を取込み、第４の設定温度(T1''')未満ならば第１のハロゲンヒータランプ２１０の駆動し(ステップ1,2)、第４の設定温度(T1''')以上ならば第１のハロゲンヒータランプ２１０の駆動を停止する(ステップ1,3)。
【００５７】
次に、第２の温度検知手段３４０からの温度情報(t2)を取込み、第４の設定温度(T2''')未満ならば第２のハロゲンヒータランプ２２０の駆動し(ステップ4,5)、第４の設定温度(T2''')以上ならば第２のハロゲンヒータランプ２２０の駆動を停止する(ステップ4,6)。
【００５８】
上記構成及び制御方法によれば、以下のような効果を得ることができる。
(1) 制御部５００は、定着が終了し、加熱ローラの回転駆動停止時に、第１のハロゲンヒータランプ２１０、第２のハロゲンヒータランプ２２０の駆動を必ず停止する(図７:ステップ6)ことにより、停止直後のオーバーシューとを防止でき、ムダな電力の消費がなくなる。
【００５９】
(2) 制御部５００は、所定のサイズより狭い幅の記録紙Pを定着する場合は、冷却手段としてのファン３５０を駆動する(図７:ステップ7)。
そして、第１のハロゲンヒータランプ２１０では、設定温度を下げる(図７:ステップ9,10:第2,3の設定温度T1′,T1″(187℃〜191℃)→第4の設定温度T1'''(184℃))。
【００６０】
第２のハロゲンヒータランプ２２０では、所定枚数となるコピー数10枚迄は、設定温度を上げ(図７:ステップ9:第2,3の設定温度T2′,T2″(187℃〜191℃)→第4の設定温度T2'''(194℃))、所定枚数以降となる11枚以降は設定温度を下げる(194℃→189℃)。
【００６１】
従って、狭い幅の記録紙Pを定着する際の温度制御の精度が正確になる。
(3) 制御部５００は、アイドリング時には、191℃と187℃との間にあるように、即ち、動作すきまを有する制御を行うことで、第１及び第２のハロゲンヒータランプ２１０,２２０のオンオフの頻度が減り、ノイズの発生が少なくなる。
【００６２】
【発明の効果】
以上述べたように、請求項１記載の発明によれば、制御部は、所定サイズより狭い幅の転写材を定着する場合は、前記冷却手段を駆動すると共に、前記第１の加熱手段の設定温度を下げ、前記第２の加熱手段の設定温度を、所定枚数までは、アイドリング時の設定温度より高い設定温度に上げ、所定枚数以降には、前記所定枚数までの設定温度より低い設定温度に下げることにより、狭い幅の転写材を定着する際の温度制御の精度が正確になる。
【図面の簡単な説明】
【図１】実施の形態例の定着装置の側面図である。
【図２】図１のX方向矢視図である。
【図３】図１に示す定着装置の電気的構成を説明するブロック図である。
【図４】画像形成装置の全体の動作を説明するフロー図である。
【図５】図４におけるウォームアップ動作を説明するフロー図である。
【図６】図４におけるアイドリング動作を説明するフロー図である。
【図７】図１に示す定着装置のコピー時の動作を説明するフロー図である。
【図８】図７中のコピー中定着制御を説明するフロー図である。
【図９】本実施の形態例の定着装置が設けられた画像形成装置の全体構成を説明する図である。
【符号の説明】
９１  加熱ローラ
９２  加圧ローラ
１９１  芯金
２１０  第１のハロゲンヒータランプ(加熱手段)
２２０  第２のハロゲンヒータランプ(加熱手段)
５００  制御部
【図１】
0003931494.tif 000002
【図２】
0003931494.tif 000003
【図３】
0003931494.tif 000004
【図４】
0003931494.tif 000005
【図５】
0003931494.tif 000006
【図６】
0003931494.tif 000007
【図７】
0003931494.tif 000008
【図８】
0003931494.tif 000009
【図９】
0003931494.tif 000010